(57)【特許請求の範囲】
【請求項１】
室外機及び複数台の室内機を備えた空気調和装置を、集中管理装置が集中管理する空気調和システムにおいて、
前記室外機は、アドレス情報として予め室外アドレスが設定され、
前記室内機は、前記アドレス情報として予め室内アドレスが設定され、
前記集中管理装置は、前記室外機あるいは前記室内機と前記アドレス情報を用いて通信を行うとともに、
前記空気調和装置の使用エネルギー料金を各テナント別に管理する設定情報として、前記室外アドレスと前記室内アドレスとを所属テナントに関連づける情報、各テナント毎の基本料金、締め日、電力パルス単価及びガスパルス単価を、当該集中管理装置に入力可能な規定の書式で予め記録媒体に書き込まれて作成された設定用ファイルから前記アドレス情報を照合しながら読み出して、取り込み、設定を行うように構成されたことを特徴とする空気調和システム。
【請求項２】
上記集中管理装置は、設定用ファイルから解読した設定情報を取り込む際の前記照合において、前記通信に用いられる前記アドレス情報と、前記設定情報に含まれるアドレス情報とが不適合な場合に、警報を出力するよう構成されたことを特徴とする請求項１に記載の空気調和システム。
【請求項３】
室外機及び複数台の室内機を備えた空気調和装置を、集中管理装置が集中管理する空気調和システムにおける上記集中管理装置の設定方法において、
前記室外機は、アドレス情報として予め室外アドレスが設定され、
前記室内機は、前記アドレス情報として予め室内アドレスが設定され、
空気調和装置の使用エネルギー料金を各テナント別に管理する設定情報として、前記室外アドレスと前記室内アドレスとを所属テナントに対応づける情報、各テナント毎の基本料金、締め日、電力パルス単価及びガスパルス単価を、当該集中管理装置に入力可能な規定の書式で予め書き込まれた設定用ファイルを作成し、
前記集中管理装置に、上記設定用ファイルを読み込ませ、前記室外機あるいは前記室内機と前記アドレス情報を用いて通信を行わせて、前記アドレス情報の照合を行わせ、
前記通信に用いられる前記アドレス情報と、前記設定情報に含まれるアドレス情報とが適合している場合に、前記集中管理装置に空気調和装置の使用エネルギー料金を各テナント別に管理するための設定情報を取り込ませて、設定を行わせることを特徴とする空気調和システムにおける集中管理装置の設定方法。
【請求項４】
前記照合において、前記通信に用いられる前記アドレス情報と、前記設定情報に含まれるアドレス情報とが不適合な場合に、警報を出力することを特徴とする請求項３に記載の空気調和システムにおける集中管理装置の設定方法。
【発明の詳細な説明】
【０００１】
【発明の属する技術分野】
本発明は、複数台の室内機を有する一または複数の空気調和装置を、集中管理装置が集中管理する空気調和システム、及び空気調和システムにおける集中管理装置の設定方法に関する。
【０００２】
【従来の技術】
例えば、ビルディング等に装備される空気調和システムにおいては、室外機と複数台の室内機とを備えた一または複数の空気調和装置を、一台の集中管理装置が集中管理するよう構成されたものが提案されている。このような空気調和システムは、テナントビルディング等のように、複数のユーザーが混在する環境に設置されることがある。このような場合、集中管理装置の初期設定は、予め準備した室内機のアドレス設定表、空気調和装置の平面配置図及び室内機のテナント割付表等を用いて作業者により実施され、空気調和装置の集中管理に必要な設定情報が、作業者により集中管理装置に直接入力され設定される。
【０００３】
【発明が解決しようとする課題】
ところで、集中管理装置の初期設定に際しては、室内機のアドレス設定表や、平面配置図等が集中管理装置にそのまま入力できる書式（フォーマット）になっていないことがある。このようなとき、作業者は、情報の読み替えを実行したり、更に必要な複数枚の図面を用いる等して、空気調和装置の集中管理に必要な設定情報を、集中管理装置に入力できる書式に書き換えながら入力している。このため、集中管理装置への設定作業が長時間を要し、しかも設定ミスも生じ易い。
【０００４】
本発明の目的は、上述の事情を考慮してなされたものであり、集中管理装置の設定作業を迅速且つ簡単に実施できる空気調和システムを提供することにある。
【０００５】
【課題を解決するための手段】
請求項１記載の発明は、室外機及び複数台の室内機を備えた空気調和装置を、集中管理装置が集中管理する空気調和システムにおいて、前記室外機は、アドレス情報として予め室外アドレスが設定され、前記室内機は、前記アドレス情報として予め室内アドレスが設定され、前記集中管理装置は、前記室外機あるいは前記室内機と前記アドレス情報を用いて通信を行うとともに、前記空気調和装置の使用エネルギー料金を各テナント別に管理する設定情報として、前記室外アドレスと前記室内アドレスとを所属テナントに対応づける情報、各テナント毎の基本料金、締め日、電力パルス単価及びガスパルス単価を、当該集中管理装置に入力可能な規定の書式で予め記録媒体に書き込まれて作成された設定用ファイルから前記アドレス情報を照合しながら読み出して、取り込み、設定を行うように構成されたことを特徴とするものである。
【０００６】
請求項２に記載の発明は、請求項１に記載の発明において、上記集中管理装置は、設定用ファイルから解読した設定情報を取り込む際の前記照合において、前記通信に用いられる前記アドレス情報と、前記設定情報に含まれるアドレス情報とが不適合な場合に、警報を出力するよう構成されたことを特徴とするものである。
【０００７】
請求項３に記載の発明は、室外機及び複数台の室内機を備えた空気調和装置を、集中管理装置が集中管理する空気調和システムにおける上記集中管理装置の設定方法において、前記室外機は、アドレス情報として予め室外アドレスが設定され、前記室内機は、前記アドレス情報として予め室内アドレスが設定され、空気調和装置の使用エネルギー料金を各テナント別に管理する設定情報として、前記室外アドレスと前記室内アドレスとを所属テナントに対応づける情報、各テナント毎の基本料金、締め日、電力パルス単価及びガスパルス単価が当該集中管理装置に入力可能な規定の書式で予め書き込まれた設定用ファイルを作成し、前記集中管理装置に、上記設定用ファイルを読み込ませ、前記室外機あるいは前記室内機と前記アドレス情報を用いて通信を行わせて、前記アドレス情報の照合を行わせ、前記通信に用いられる前記アドレス情報と、前記設定情報に含まれるアドレス情報とが適合している場合に、前記集中管理装置に空気調和装置の使用エネルギー料金を各テナント別に管理するための設定情報を取り込ませ、設定を行わせることを特徴とするものである。
【０００８】
請求項４記載の発明は、請求項３記載の発明において、前記照合において、前記通信に用いられる前記アドレス情報と、前記設定情報に含まれるアドレス情報とが不適合な場合に、警報を出力することを特徴とするものである。
【００１１】
請求項１記載の発明には、次の作用がある。
【００１２】
空気調和装置の使用エネルギー料金を各テナント別に管理する設定情報が、集中管理装置に入力可能な規定の書式で予め書き込まれて作成された設定用ファイルから、アドレス情報を照合しつつ、通信に用いられるアドレス情報と、設定情報に含まれるアドレス情報とが適合している場合に、取り込み、設定を行うよう構成されたことから、空気調和装置の使用エネルギー料金を各テナント別に管理するのに必要な設定情報を集中管理装置に正確且つ短時間に入力することができる。この結果、集中管理装置が施工された現場において、作業者が、空気調和装置の使用エネルギー料金を各テナント別に管理するのに必要な設定情報を、当該集中管理装置に入力可能な規定の書式に書き換えながらその集中管理装置に入力する入力作業を軽減できるので、空気調和装置の使用エネルギー料金を各テナント別に管理するのに必要な集中管理装置の設定作業を迅速且つ簡単に実施できる。
【００１３】
請求項２に記載の発明には、次の作用がある。
【００１４】
集中管理装置は、設定用ファイルから解読した設定情報を不揮発性メモリに取り込む際の照合において、通信に用いられるアドレス情報と、設定情報に含まれるアドレス情報とが不適合な場合に、警報を出力するよう構成されたことことから、空気調和装置側の施工ミスや設定用ファイルの作成ミスを迅速に発見し、その修正を促すことができる。
【００１５】
請求項３記載の発明には、次の作用がある。
【００１６】
室外機及び複数台の室内機を備えた空気調和装置を、集中管理装置が集中管理する空気調和システムにおける集中管理装置の設定方法において、前記室外機は、アドレス情報として予め室外アドレスが設定され、前記室内機は、前記アドレス情報として予め室内アドレスが設定され、空気調和装置の使用エネルギー料金を各テナント別に管理する設定情報として、前記室外アドレス、前記室内アドレス及び所属テナントに関する情報、各テナント毎の基本料金情報、締め日情報、電力パルス単価情報及びガスパルス単価情報が当該集中管理装置に入力可能な規定の書式で予め書き込まれた設定用ファイルを作成し、前記集中管理装置に、上記設定用ファイルを読み込ませ、前記室外機あるいは前記室内機と前記アドレス情報を用いて通信を行わせて、前記アドレス情報の照合を行わせ、前記通信に用いられる前記アドレス情報と、前記設定情報に含まれるアドレス情報とが適合している場合に、前記集中管理装置に空気調和装置の使用エネルギー料金を各テナント別に管理するための設定情報を取り込ませ、設定を行わせることから、空気調和装置の使用エネルギー料金を各テナント別に管理するのに必要な設定情報を集中管理装置に正確且つ短時間に入力することができる。この結果、集中管理装置が施工された現場において、作業者が、空気調和装置の使用エネルギー料金を各テナント別に管理するのに必要な設定情報を、当該集中管理装置に入力可能な規定の書式に書き換えながらその集中管理装置に入力する入力作業を軽減できるので、空気調和装置の使用エネルギー料金を各テナント別に管理するのに必要な集中管理装置の設定作業を迅速且つ簡単に実施できる。
【００１７】
請求項４記載の発明には、次の作用がある。
【００１８】
照合において、通信に用いられるアドレス情報と、設定情報に含まれるアドレス情報とが不適合な場合に、警報を出力することから、空気調和装置側の施工ミスや設定用ファイルの作成ミスを迅速に発見し、その修正を促すことができる。
【００１９】
【発明の実施の形態】
以下、本発明の実施の形態を、図面に基づき説明する。
【００２０】
図１は、本発明に係る空気調和システムの一実施の形態を示す概略系統図である。
【００２１】
この図１に示す空気調和システム１０は、複数基、例えば４基の空気調和装置１１、１２、１３及び１４を集中管理装置１５により集中管理するよう構成されたものである。
【００２２】
各空気調和装置１１、１２、１３、１４は、それぞれ、１台の室外機１６と４台の室内機１７とが、図示しない冷媒配管により接続されて構成される、いわゆるマルチタイプの空気調和装置である。
【００２３】
集中管理装置１５は、２線方式の通信線１８を介して、空気調和装置１１、１２、１３及び１４のそれぞれの室外機１６及び室内機１７に接続される。通信線１８を用いて、各空気調和装置１１、１２、１３、１４における室外機１６と室内機１７との間で、冷房または暖房運転等の空気調和を実行するために必要な空調用信号が送受信される。
【００２４】
また、通信線１８を用いて、空気調和装置１１、１２、１３または１４のそれぞれの室外機１６若しくは室内機１７から集中管理装置１５へ、これらの室外機１６または室内機１７の運転状態を示す情報が運転状態信号として送信される。更に、通信線１８を用いて、集中管理装置１５から空気調和装置１１、１２、１３または１４のそれぞれの室外機１６若しくは室内機１７へ、これらの室外機１６または室内機１７を集中管理する集中管理信号が送信される。
【００２５】
なお、この図１では、集中管理装置１５と空気調和装置１１、１２、１３、１４との間に配置されて、通信形態を変更するための通信アダプタと、室内機１７に接続されて、空気調和装置１１、１２、１３または１４のそれぞれの空気調和を手動制御するためのリモートコントローラとが省略されている。
【００２６】
ところで、上記集中管理装置１５は、ＣＰＵ１９（中央処理装置）、不揮発性メモリ２０及び表示装置２２を備えて構成される。空気調和システム１０がビルディング、特に複数のユーザーが混在するテナントビルディング等に設置された場合には、不揮発性メモリ２０には、空気調和装置１１、１２、１３及び１４の集中管理に必要な設定情報が、以下の手順（１）、（２）、（３）で取り込まれて記憶される。
【００２７】
この集中管理に必要な設定情報には、空気調和装置１１、１２、１３、１４の使用電力料金や使用ガス料金等の使用エネルギー料金を、各テナント別に集中管理するための設定情報が含まれる。
【００２８】
（１）空気調和装置１１、１２、１３及び１４を集中管理するために必要な設定情報は、作業者により図２に示す設定用ファイル２１として予め作成され、フロッピーディスク等の記録媒体に格納される。つまり、作業者は、集中管理装置１５が設置された現場以外の場所で、室内機１７のアドレス設定表、室内機１７のテナント割付表、空気調和装置１１、１２、１３及び１４の平面配置図等を用い、更にテナントユーザー等へのヒアリング等を実施して、空気調和装置１１、１２、１３及び１４の集中管理に必要な設定情報を全て調査し、これらの設定情報の全てを、集中管理装置１５に入力可能な規定の書式で予め設定用ファイル２１として作成し、記録媒体に格納する。
【００２９】
例えば、図２に示す設定用ファイル２１において、イコール「＝」の左辺の「ｕｎｉｔ」、「ｔｎｔ」、「ａｃｃｏｕｎｔ」等は、予め規定された変数名であり、イコール「＝」の右辺に具体的な設定情報が書き込まれる。イコール「＝」の右辺に書き込まれる設定情報が複数ある場合には、これらの設定情報は、イコール「＝」の右辺にコンマ「，」を用いて区切って書き込まれる。
【００３０】
（２）集中管理装置１５のＣＰＵ１９は、上述のようにして作成された記録媒体に格納された設定用ファイル２１が、現場において集中管理装置１５に挿入された段階で、空気調和装置１１、１２、１３及び１４の集中管理に必要な設定情報を、上記設定用ファイル２１から順次解読する。
【００３１】
例えば、集中管理装置１５のＣＰＵ１９は、図２に示す設定用ファイル２１において、「ｕｎｉｔ」の次の数字が空気調和システム１０における室内機１７の通し番号であり、「ｕｎｉｔ」の次のイコール「＝」の右側の１項目が室外機アドレスであり、２項目が室内機アドレスであり、３項目が当該室内機１７の所属するテナントであることを順次解読する。
【００３２】
（３）集中管理装置１５のＣＰＵ１９は、記録媒体に格納された設定用ファイル２１から上述のようにして解読した集中管理に必要な設定情報を、不揮発性メモリ２０において室内機１７毎に割り振られたメモリ領域に取り込み、記憶させる。この際、集中管理装置１５のＣＰＵ１９は、これらの設定情報を、通信線１８を用いて空気調和装置１１、１２、１３及び１４に対し通信を実行したときに獲得した情報と照合する。即ち、集中管理装置１５のＣＰＵ１９は、上記通信により獲得した室内機１７のアドレス情報と、記録媒体に格納された設定用ファイル２１から得た室内機１７のアドレス情報とを照合する。
【００３３】
そして、集中管理装置１５のＣＰＵ１９は、これらの通信により獲得したアドレス情報と設定用ファイル２１から得たアドレス情報とが適合した場合に、該当する室内機１７の設定情報を記憶させるべき不揮発性メモリ２０のメモリ領域に、上記設定用ファイル２１から解読した当該室内機１７のアドレス情報の他、当該室内機１７のテナント名や基本料金等、空気調和装置１１、１２、１３及び１４の集中管理に必要な情報を取り込み記憶させる。
【００３４】
また、集中管理装置１５のＣＰＵ１９は、通信線１８を用いた通信により獲得した室内機１７のアドレス情報と、記録媒体に格納された設定用ファイル２１から得たアドレス情報とが不適合な場合には、集中管理装置１５の表示装置２２に、「○○号の室内機がありません」等と警報を表示させる。これにより、空気調和装置１１、１２、１３または１４の室内機１７が通信線１８により接続されていない施工ミスや、設定用ファイル２１に書き込まれた室内機１７のアドレス情報が誤っていた等の設定用ファイル２１の作成ミスが警報されることになる。
【００３５】
上述の手順（１）〜（３）によって、設定用ファイル２１に書き込まれた、空気調和装置１１、１２、１３及び１４の集中管理に必要な設定情報が集中管理装置１５の不揮発性メモリ２０に取り込まれ記憶された時点で、集中管理装置１５の設定作業が原則として終了する。
【００３６】
上記設定情報に急きょ変更が生じた場合や、設定用ファイル２１に書き込み不可能な設定情報がある場合には、作業者が、集中管理装置１５の設置された現場において、これらの設定情報を集中管理装置１５の不揮発性メモリ２０に直接入力する。この場合においても、空気調和装置１１、１２、１３及び１４の集中管理に必要な設定情報を全て作業者が集中管理装置１５に入力する場合に比べ、その手間は格段に軽減される。
【００３７】
以上のように構成されたことから、上記実施の形態によれば、次の効果▲１▼及び▲２▼を奏する。
【００３８】
▲１▼空気調和装置１１、１２、１３及び１４の集中管理に必要な設定情報が、集中管理装置１５に入力可能な規定の書式で予め書き込まれて作成された設定用ファイル２１から、集中管理装置１５のＣＰＵ１９が上記設定情報を取り込むよう構成されたことから、空気調和装置１１、１２、１４及び１４の集中管理に必要な設定情報を集中管理装置１５に正確且つ短時間に入力することができる。この結果、集中管理装置１５が施工された現場において、作業者が、空気調和装置１１、１２、１３及び１４の集中管理に必要な設定情報を、当該集中管理装置１５に入力可能な規定の書式に書き換えながらその集中管理装置１５に直接入力する入力作業を軽減できるので、集中管理装置１５の設定作業を迅速且つ簡単に実施できる。
【００３９】
▲２▼集中管理装置１５のＣＰＵ１９は、設定用ファイル２１からの設定情報を、空気調和装置１１、１２、１３及び１４との通信線１８を用いた通信により獲得した情報と照合しながら不揮発性メモリ２０に取り込み、これらの設定用ファイル２１からの設定情報と通信により獲得した情報とが不適合な場合に、集中管理装置１５の表示装置２２に警報を表示するよう構成されたことから、空気調和装置１１、１２、１３または１４側の施工ミスや、設定用ファイル２１の作成ミスを迅速に発見でき、その修正を作業者などへ促すことができる。
【００４０】
以上、本発明を上記実施の形態に基づいて説明したが、本発明はこれに限定されるものではない。
【００４１】
例えば、空気調和装置１１、１２、１３及び１４の集中管理に必要な情報が、項目名等を分かり易く配置した表に記入されることによって設定用ファイルを作成するものであってもよい。
【００４２】
【発明の効果】
以上のように、請求項１に記載の発明に係る空気調和システムによれば、空気調和装置の設定作業を迅速且つ簡単に実施できる。また、請求項４に記載の発明に係る空気調和システムにおける集中管理装置の設定方法によれば、空気調和装置の設定作業を迅速且つ簡単に実施できる。
【図面の簡単な説明】
【図１】本発明に係る空気調和システムの一実施の形態を示す概略系統図である。
【図２】図１の集中管理装置に入力される設定情報を書き込んだ設定用ファイルの一例を示す図である。
【符号の説明】
１０  空気調和システム
１１、１２、１３、１４  空気調和装置
１５  集中管理装置
１６  室外機
１７  室内機
１８  通信線
１９  集中管理装置のＣＰＵ
２０  集中管理装置の不揮発性メモリ
２１  設定用ファイル
２２  集中管理装置の表示装置
【図１】
0004127958.tif 000002
【図２】
0004127958.tif 000003